(57)【要約】【課題】雨樋用エルボと竪樋や呼樋を接合する際に多めの接着剤が塗布されても、雨樋用エルボや竪樋などの表面に接着剤がはみ出すことがなく、外観がきれいな雨樋用エルボを提供する。【解決手段】本発明は、継手本体の一方側に雨樋を挿入する受口部を有し、もう一方の側に雨樋に挿入する差込部を有する雨樋用エルボであって、押圧された上側と下側の接着剤位置がずれるように、該差込部の差込面の対応する稜線の長さが異なるよう形成した。【選択図】  図１
2005207046.tif 000002
【特許請求の範囲】
【請求項１】
継手本体（１０）の一方側に雨樋を挿入する受口部（２）を有し、もう一方の側に雨樋に挿入する差込部（３）を有する雨樋用エルボ（１）において、該差込部（３）に配設された差込面の対応する稜線の長さが異なるよう形成されている雨樋用エルボ。
【請求項２】
前記差込面は、対向面と非対称に形成されている請求項１記載の雨樋用エルボ。
【発明の詳細な説明】
【技術分野】
【０００１】
本発明は雨樋用エルボに関し、詳しくは、竪樋と呼樋を接続するために用いられる雨樋用エルボに関する。
【背景技術】
【０００２】
従来より、例えば竪樋と呼樋を接続する場合に、雨樋用エルボが用いられる。この雨樋用エルボは、図２に示したように、継手本体の一方の側に受口部が設けられ、もう一方の側に差込部が設けられた構成である。この雨樋用エルボを使用して竪樋と呼樋とを接続する場合は、図3に示したように、受口部に呼樋を嵌合し、差込部を竪樋内に挿入して嵌合させる。竪樋及び呼樋を雨樋用エルボに接着固定するために、差込部の外面、及び受口部に挿入する呼樋の外面に接着剤が塗布される。尚、呼樋は竪樋そのものであり、使われる部位により竪樋を呼樋と称する。
【０００３】
前記差込部の外面に塗布された接着剤は、竪樋の挿入によって押圧されて差込部の外面の奥部へ移動し、竪樋が該差込部の突き合せ部に達した時点で余分な接着剤が該突き合せ部から竪樋表面にはみ出し、はみ出した接着剤は固まると白くなり外観が見苦しくなるという問題があった。また、はみ出した接着剤の量が余りに多くなると、雨樋用エルボや竪樋を変形させる等の問題があった。ただ実際の施工作業において接着固定に使う接着剤量は僅かであるが、雨水を排水する雨樋である観点から水漏れしないよう目止めのために多めに接着剤を塗布する。該接着剤として採用されるのは、一般に、ポリ塩化ビニル樹脂用接着剤であり、この接着剤の溶剤はアセトン、ＭＥＫ（メチル・エチル・ケトン）及びシクロヘキサンがベースになっている。
【０００４】
この接着剤のはみ出しを解消する雨樋用エルボとして、差込部に切り欠き部分を設ける雨樋用エルボ（例えば特許文献１参照）、また差込部の嵌合溝にストッパーを設け接着剤溜まりを形成する雨樋用エルボが開示されている（例えば特許文献２参照）。
【特許文献１】特開平０９−２６８７２２号公報
【特許文献２】特開２００１−１５９２１６号公報
【発明の開示】
【発明が解決しようとする課題】
【０００５】
即ち、本発明は従来の欠点を解決し、竪樋などを接合する際に余分な接着剤が塗布されても、竪樋などの表面に接着剤がはみ出すことがない、雨樋用エルボを提供することにある。
【課題を解決するための手段】
【０００６】
即ち、本発明は、継手本体の一方側に雨樋を挿入する受口部を有し、もう一方の側に雨樋に挿入する差込部を有する雨樋用エルボにおいて、該差込部に配設された差込面の対応する稜線の長さが異なるよう形成されている雨樋用エルボである。
【０００７】
さらに、差込面は、対向面と非対称に形成されている雨樋用エルボである。
【発明の効果】
【０００８】
本発明の雨樋用エルボは、竪樋などを接合する際に余分な接着剤が塗布されても、竪樋などの表面に接着剤がはみ出すことがないので、きれいな雨樋外観を提供することができる。
【発明を実施するための最良の形態】
【０００９】
本発明は、前記のように竪樋などの接続に用いられる雨樋用エルボにおいて、接続のために塗布された接着剤が多めに塗布されても、該雨樋用エルボの差込部に配設された差込面の対応する稜線の長さが異なることにより、雨樋用エルボや竪樋などの表面に接着剤がはみ出すことがないことを見出した。
【００１０】
本発明における雨樋用エルボの材質は、プラスチック建材として従来公知の樹脂を適宜選択して採用でき、例えば、硬質塩化ビニル樹脂、アクリル樹脂、ポリカーボネート樹脂、ＡＥＳ樹脂（アクリロニトリル・エチレンープロピレンゴム・スチレン樹脂）等やこれらの混合物を含むものを使用できる。また、竪樋の材質は、雨樋用エルボと同一であっても、異なるものであってもよい。
【００１１】
本発明の詳細を説明するにあたって、雨樋用エルボ１と竪樋４について主要な構成及び、これらの接続について図３に基づいて説明する。建物の屋根面から雨水を直接受けるために軒先部に配置された軒樋（図省略）から、集水器（図省略）を経て、建物の外壁面に配置された竪樋４へと排水される。雨樋用エルボ１は、集水器から竪樋４へと排水する角度をずらすための継手である。その角度をずらすために、集水器と雨樋用エルボ１との間に斜めに使われる竪樋を呼樋５と称する。
【００１２】
本発明の雨樋用エルボについて説明する。雨樋用エルボ１は、断面形状が角型のものであり、図１及び図３に有るように、雨樋用エルボ１の継手本体１０の一方の側に呼樋５を挿入する受口部２を有し、もう一方の側に竪樋４を挿入する差込部３を有する。該差込部３は竪樋４の内面に嵌合するため、竪樋４の内部断面形状に対応する外部断面形状を有する。
【００１３】
前記差込部３には、竪樋４と嵌合し、接着剤を塗布する差込面３１，３２，３３，３４が各面に配設される。該差込面３１，３２，３３，３４は、突き合せ部７を底辺とした台形に形成されている。該差込面３１，３２，３３，３４の稜線３１１，３２１，３３１，３４１は、例えば、差込面３１に対応する稜線３１１と稜線３２１の長さが異なるよう形成されている。差込面３２も同様に、対応する稜線３２１と稜線３３１の長さが異なるよう形成されている。他の差込面３３，３４の稜線も、同様に、対応する稜線の長さが異なるよう形成されている。各差込面に対応する稜線の長さの差は、必ずしも同じ差でなくてもよい。これにより、対向する差込面同士において、台形先端部の斜辺全長が重なることはない。
【００１４】
図１及び図４に有るように、前記雨樋用エルボ１と竪樋４を接続する場合、前記差込面３１，３２，３３，３４に接着剤を塗布し、竪樋４を挿入する。塗布された接着剤は、竪樋４の挿入によって押圧されて、竪樋４が該雨樋用エルボ１の突き合せ部７に達した時点で、余分な接着剤は押圧されて竪樋４側に移動する。さらに、上側に位置する接着剤は、重力により下側に落下する。対応する稜線の長さが異なるため、例えば、差込面３２が上側になるよう配置された場合、差込面３２の余分な接着剤６１が下側へ落下するとき、差込面３２と対向する差込面３４の台形先端部の斜辺全長の全てが重なることはない。押圧された上側と下側の接着剤位置がずれており、上側の接着剤６１が下側の接着剤６２の上に落下することがないので、上下の余分な接着剤が集中して溜まらない。そのため、溜まった接着剤により雨樋を変形させることはない。
【実施例】
【００１５】
以下、本発明に係る雨樋用エルボの実施例について、図１〜図５及び表１を参照にしながら、詳細に説明する。ここで表１は各実施例、比較例における前記稜線の長さの差と接着剤の塗布量との関係を、外観と水漏れによる評価を示したものである。
【００１６】
【表１】
2005207046.tif 000003
【００１７】
表１において、「接着剤塗布量」とは、雨樋用エルボの差込面に所定の量（２．５グラム、４．０グラム）の接着剤を塗布して、竪樋（長さ１０ｃｍに切断した物）を該差込面に挿入する。接着剤塗布量２．５グラムは、水漏れしないように該差込面に塗布した時の、必要最小塗布量２．０グラムを基準に決める。
【００１８】
表１において、「外観」とは、接着剤を塗布した前記の試験体を過酷な条件、即ち、温度６０±３℃及び湿度９０±５％ＲＨの評価試験室に２４時間放置して、接着剤に含まれる溶剤による変形度合いを目視で評価した。温度６０℃にしたのは、温度をかけることで接着剤に含まれる溶剤を急激に揮発させ、溶剤による変形を促進させるためである。雨樋用エルボ、または竪樋に変形がないものを良好（○）とし、わずかな変形があるものを並（△）とし、変形があるものを不適（×）とした。
【００１９】
表１において、「止水性」とは、接着剤を塗布した前記の試験体の竪樋側の開口部を、例えば幅広の粘着テープで完全密封して、雨樋用エルボの受口部より水を入れ、ほぼ満水になったときに雨樋用エルボの差込面からの水漏れを目視で評価した。水漏れがないものを良好（○）とし、わずかな水漏れがあるものを不適（△）とした。
【００２０】
（実施例１）本実施例における雨樋用エルボは、硬質塩化ビニル樹脂製で射出成型機を用いて賦形した。一辺の長さが６０ｍｍで厚さが１．１ｍｍの略四角形の竪樋に対応する角形断面形状を有する雨樋用エルボである。差込面に対応する稜線の長さの差は、各差込面とも全て５ｍｍとした。図１における、差込面３１においては、稜線３１１と稜線３２１の長さの差が５ｍｍである。差込面３２においては、稜線３３１と稜線３２１の長さの差が５ｍｍである。差込面３３においては、稜線３３１と稜線３４１の長さの差が５ｍｍである。差込面３４においては、稜線３１１と稜線３４１の長さの差が５ｍｍである。接着剤は硬質塩化ビニル雨樋専用（電気化学工業社製６００ＺＴ）を使った。
【００２１】
（実施例２、実施例３及び比較例１）表１に示したように差込面に対応する稜線の長さの差を、実施例２は全て１０ｍｍ、実施例３は全て１５ｍｍ及び比較例１は全て０ｍｍとした以外は、実施例１と同様にして雨樋用エルボを得た。
【００２２】
各実施例及び比較例の評価結果を、表１に纏めて示した。表１から、前記稜線の長さの差は、５〜１０ｍｍの範囲で形成されていることが好ましい。該稜線の長さの差が１０ｍｍを超えると、外観評価は問題ないが、接着剤を塗布する差込面が斜めになりすぎるために、接着剤の塗布作業性に支障が出て、僅かであるが水漏れが有る。
【図面の簡単な説明】
【００２３】
【図１】実施例１における雨樋用エルボを示す斜視図である。
【図２】比較例１における雨樋用エルボを示す斜視図である。
【図３】実施例１における雨樋用エルボに竪樋及び呼樋を接続した状態を示す説明図である。
【図４】実施例１における雨樋用エルボと竪樋の接着剤塗布状況を示す説明図である。
【図５】比較例１における雨樋用エルボと竪樋の接着剤塗布状況を示す説明図である。
【符号の説明】
【００２４】
１  雨樋用エルボ
１０  継手本体
２    受口部
３    差込部
３１，３２，３３，３４    差込面
３１１，３２１，３３１，３４１    稜線
４    竪樋
５    呼樋
６１，６２    接着剤
７    突き合せ部
【図１】
2005207046.tif 000004
【図２】
2005207046.tif 000005
【図３】
2005207046.tif 000006
【図４】
2005207046.tif 000007
【図５】
2005207046.tif 000008